(57)【要約】【課題】持ち運びや保管に便利なようにコンパクトに折り畳むことができる資料提示装置１０を提供すること。【解決手段】第１支柱２０、第２支柱２１及びブラケット１３を回動して資料提示装置を折り畳む。資料提示装置を折り畳んだ状態では、第１支柱２０が基台１１の前面１１ｂに重なり、第２支柱２１が第１支柱２０の外面に重なる。また、ブラケット１３とビデオカメラヘッド１４が基台１１の右側面側に沿って並び、ブラケット１３の上面及びビデオカメラヘッド１４の上面１４ａと基台１１の上面１１ｂが略面一になる。また、ビデオカメラヘッド１４の背面と基台１１の背面が略面一になる。このようにして、資料撮像装置１０が略厚手のブック形状に折り畳まれる。【選択図】図２
2011119954.tif 000002
【特許請求の範囲】
【請求項１】
基台と、基台に回動可能に立設した支柱と、支柱先端に取り付けたビデオカメラヘッドを備え、基台設置面に置かれた資料の略真上に前記ビデオカメラヘッドを配置し、ビデオカメラヘッドで資料を撮像するように構成した資料提示装置であって、
前記支柱を第１支柱と第２支柱で構成し、
第１支柱を基台の前面の左右いずれか一方の角隅部に、基台の前面に重なる折り畳み位置と、基台から所定の角度で起立する起立位置との間で基台の左右方向へ回動可能に組み付け、
第２支柱を第１支柱の先端部に、第１支柱に重なる折り畳み位置と、第１支柱と同方向へ第１支柱から延伸する延伸位置との間で基台の左右方向へ回動可能に組み付け、
ビデオカメラヘッドを第２支柱の先端部に、第１支柱と第２支柱が共に折り畳み位置にあるときビデオカメラヘッドが基台の一方の側面に沿って並ぶとともにビデオカメラヘッドの上面が基台の上面と略面一となる折り畳み位置と、第１支柱が起立位置にあって第２支柱が延伸位置にあるときビデオカメラヘッドの上面が基台上面と略平行になる第１撮像位置との間で左右方向に回動可能に組み付けたことを特徴とする資料提示装置。
【請求項２】
前記ビデオカメラヘッドを第２支柱の先端部に、前記第１撮像位置とビデオカメラヘッドの撮像レンズが基台の後方を向く第２撮像位置との間で前後方向へ回動可能に組み付けたことを特徴とする請求項１に記載の資料提示装置。
【請求項３】
前記基台の形状を平面形状が矩形の箱形に形成し、
前記ビデオカメラヘッドの平面形状を略矩形に形成し、
前記第１支柱及び第２支柱の幅を基台の厚みと略同寸に設定し、
前記第１支柱、第２支柱及びビデオカメラヘッドがそれぞれ前記折り畳み位置にあるとき、装置全体が略厚手のブック形状に折り畳まれるようにしたことを特徴とする請求項１に記載の資料提示装置。
【発明の詳細な説明】
【技術分野】
【０００１】
本発明は、基台と、基台に立設した支柱と、支柱先端部に設置したカメラとを備え、基台の設置面に置いた書類や模型等の資料をビデオカメラヘッドで撮像し、その画像をモニターテレビに出力し、あるいはビデオプロジェクターでスクリーンに投影する資料提示装置に関する。
【背景技術】
【０００２】
特開２００８−１９３３９１号公報には、図６及び図７に示すような資料提示装置が記載されている。この資料提示装置１００は、厚手のブック形をした基台１０１と、基台の中央部の前端部に立設した逆Ｊ字形の支柱１０２と、支柱１０２先端に取り付けられた円筒形のビデオカメラヘッド１０３を備えている。支柱１０２の先端部はビデオカメラヘッド１０３の一端に連結され、ビデオカメラヘッド１０３の他端底面に撮像レンズ１０４が組み込まれている。基台１０１の背面にはモニターテレビ等と接続するための各種端子が設けられている。
【０００３】
この資料撮像装置１００の支柱１０２は直線部分１０５と湾曲部分１０６からなり、直線部分１０５の基端部は回転可能（図６の矢印Ａ参照）に、かつ基台１０１の前後方向へ回動可能（図７の矢印Ｂ参照）に基台１０１に組み付けられている。また、ビデオカメラヘッド１０３は支柱１０２の先端部に左右方向（図６の矢印Ｃ参照）へ回動可能に組み付けられている。
【先行技術文献】
【特許文献】
【０００４】
【特許文献１】特開２００８−１９３３９１号公報
【発明の概要】
【発明が解決しようとする課題】
【０００５】
この資料提示装置１００を使って資料を撮像するには、撮像レンズ１０４の略直下に位置するように資料を基台設置面１０７に置く。
一方、資料提示装置１００を使用しないときは、ビデオカメラヘッド１０３を左右方向（矢印Ｃ）へ回動させ、支柱１０２と略平行にして支柱１０２の先端部から垂下させる。さらに、支柱を回転（矢印Ａ）させ、支柱１０２から垂下したビデオカメラヘッド１０３を基台１０１の真上に位置するようにセットする。
若しくは、支柱を１０２基台１０１の前方へ回動（矢印Ｂ）させ、基台設置面１０７にビデオカメラヘッド１０３を接地させる。
【０００６】
この資料提示装置１００は使用しないときでも、ビデオカメラヘッド１０３や支柱１０２が基台１０１から立ち上がり、若しくは基台１０１の外側へ突出しているので、持ち運ぶにも、保管するにも甚だ不便である。
【０００７】
本発明はかかる問題点に鑑み、持ち運びや保管に便利なようにコンパクトに折り畳むことができる資料提示装置を提供することを目的とする。
【課題を解決するための手段】
【０００８】
請求項１に記載の発明は、基台と、基台に回動可能に立設した支柱と、支柱先端に取り付けたビデオカメラヘッドを備え、基台設置面に置かれた資料の略真上に前記ビデオカメラヘッドを配置し、ビデオカメラヘッドで資料を撮像するように構成した資料提示装置であって、
前記支柱を第１支柱と第２支柱で構成し、
第１支柱を基台の前面の左右いずれか一方の角隅部に、基台の前面に重なる折り畳み位置と、基台から所定の角度で起立する起立位置との間で基台の左右方向へ回動可能に組み付け、
第２支柱を第１支柱の先端部に、第１支柱に重なる折り畳み位置と、第１支柱と同方向へ第１支柱から延伸する延伸位置との間で基台の左右方向へ回動可能に組み付け、
ビデオカメラヘッドを第２支柱の先端部に、第１支柱と第２支柱が共に折り畳み位置にあるときビデオカメラヘッドが基台の一方の側面に沿って並ぶとともにビデオカメラヘッドの上面が基台の上面と略面一となる折り畳み位置と、第１支柱が起立位置にあって第２支柱が延伸位置にあるときビデオカメラヘッドの上面が基台上面と略平行になる第１撮像位置との間で左右方向に回動可能に組み付けたことを特徴とする。
【０００９】
請求項２に記載の発明は、請求項１に記載の資料提示装置において、前記ビデオカメラヘッドを第２支柱の先端部に、前記第１撮像位置とビデオカメラヘッドの撮像レンズが基台の後方を向く第２撮像位置との間で前後方向へ回動可能に組み付けたことを特徴とする。
【００１０】
請求項３に記載の発明は、請求項１に記載の資料提示装置において、前記基台の形状を平面形状が矩形の箱形に形成し、
前記ビデオカメラヘッドの平面形状を略矩形に形成し、
前記第１支柱及び第２支柱の幅を基台の厚みと略同寸に設定し、
前記第１支柱、第２支柱及びビデオカメラヘッドがそれぞれ前記折り畳み位置にあるとき、装置全体が略厚手のブック形状に折り畳まれるようにしたことを特徴とする。
【発明の効果】
【００１１】
請求項１に係る資料提示装置を使用するときは、第１支柱を起立位置まで回動させるとともに、第２支柱を延伸位置まで回動させる。また、ビデオカメラヘッドを第１撮像位置まで回動させる。そして、資料をビデオカメラヘッドの略直下に位置するように基台設置面に置き、ビデオカメラヘッドで撮像する。
一方、資料提示装置を使用しないとき、第１支柱、第２支柱及びビデオカメラヘッドを折り畳み位置へ回動させる。
しかして、請求項１に記載の発明によれば、第１支柱を基台の前面に重なるように折り畳むことができ、第２支柱を第１支柱に重なるように折り畳むことができる。さらに、ビデオカメラヘッドを基台と略平行となるように基台の側面に沿って並べることができるので、資料提示装置の折り畳んだ時の形態がコンパクトとなり、持ち運びや保管に便利となる。
【００１２】
請求項２に記載の発明によれば、ビデオカメラヘッドを第１撮像位置にセットして基台の設置面に置いた資料を撮像できるだけでなく、ビデオカメラヘッドを第２撮像位置にセットして基台後方にある資料を撮像できる。そのため、資料提示装置の使い勝手が良い。
【００１３】
請求項３に記載の発明によれば、装置全体を略厚手のブック形状に折り畳むことができ、より一層持ち運びや保管に便利となる。
【図面の簡単な説明】
【００１４】
【図１】本発明の一実施例に係る資料提示装置の使用状態を示す斜視図である。
【図２】同資料提示装置の折り畳み状態を示す斜視図である。
【図３】同資料提示装置の使用状態から折り畳み状態に至る途中の折り畳み状態を示す斜視図である。
【図４】同資料提示装置の使用状態から折り畳み状態に至る途中の折り畳み状態を示す斜視図である。
【図５】同資料提示装置の他の使用状態を示す斜視図である。
【図６】従来の資料提示装置を示す斜視図である。
【図７】従来の資料提示装置を示す側面図である。
【実施例】
【００１５】
以下に本発明を図面に基づき説明するに、図１〜図５には本発明の一実施例に係る資料提示装置１０が示されている。当該資料提示装置１０は基台１１、支柱１２、ブラケット１３及びビデオビデオカメラヘッド１４を備えている。基台１１は平面形状が矩形の箱形を有し、全体として厚手のブック形を備えている。基台１１の上面１１ａには電源スイッチ１５の他、後述するビデオカメラヘッド１４の撮像レンズ１６のズーミング操作やオートフォーカス制御を行うためのズームボタン１７、オートフォーカスボタン１８等が配列されている。また、基台１１の背面にはテレビモニターやビデオプロジェクターと資料提示装置１０を接続するための各種端子１９が配設されている。基台１１の内部にはビデオカメラヘッドのズーミング制御やオートフォーカス制御、輝度制御用の制御回路ユニット及び使用時に基台１１がビデオカメラヘッド１４の重みで倒れるのを防止するための錘が内蔵されている。
【００１６】
支柱１２は中空構造を有する第１支柱２０と第２支柱２１の２本から構成され、支柱１２の内部に基台１１内の制御回路ユニットとビデオカメラヘッド１４とを接続する配線が挿通されている。第１支柱２０は基台１１の厚みｔと略等しい幅及び基台１１の横幅Ｌと略等しい長さを有する細長い形状を有し、基台１１の前面右角隅部に第１軸２２で基台の左右方向へ回動可能に組み付けられている。第１支柱２０は図２に示すように、基台１１の前面１１ｂに重なる折り畳み位置と、図１に示すように、基台１１から所定角度で起立する起立位置との間で回動可能に組み付けられている。本実施例では基台から１３０度の角度で起立するように設定されている。
【００１７】
第２支柱２１は第１支柱２０と略同じ幅を有し、その長さは後述するビデオカメラヘッド１４の略横幅ｗ１の分だけ第１支柱２０より長く設定されている。第２支柱２１は基台１１の左右方向へ回動可能に第２軸２３で第１支柱２０の先端部に組み付けられている。第２支柱２１は図２に示すように、第１支柱２０に重なる折り畳み位置と、図１に示すように第１支柱２０から第１支柱２０と同方向へ延伸する延伸位置との間で回動可能に組み付けられている。
【００１８】
ブラケット１３は左右一対のアーム部１３ａと両アーム部１３ａを連結する底面１３ｂからなるＵ字形を有する。底面１３ｂの幅は略第２支柱２１の幅と等しく設定されている。ブラケット１３は第３軸２４で第２支柱２１の先端部に基台１１の左右方向へ回動可能に組み付けられている。ブラケット１３は図２に示すように、底面１３ｂが第２支柱２１と重なる位置へ回動したとき、右側のアーム１３ａの側面と第２支柱２１の先端面及びビデオカメラヘッド１４の右側面が略面一となるように、底面１３ｂの長さ及び底面１３ｂにおける第３軸２４の取り付け位置が設定されている。
【００１９】
ビデオカメラヘッド１４は平面形状が略矩形の箱形本体１４ａを有し、この本体１４ａに１本の凸片１４ｂが一体に設けられている。また、本体１４ａの底面に撮像レンズ１６の鏡筒が突設されている。ビデオカメラヘッド１４は凸片１４ｂをブラケット１３の両アーム部１３ａ間に挿入し、凸片１４ｂを貫通する第４軸２５でブラケット１３に基台１１の前後方向へ回動可能に組み付けられている。ビデオカメラヘッド１４本体の横幅ｗは略ブラケット１３の横幅と等しく設定されている。また、ビデオカメラヘッド１４の厚みはブラケット１３の上面とビデオカメラヘッド１４の上面が略面一となるように設定されている。さらに、ビデオカメラヘッド１４の縦幅ｗ２は図２に示すように、装置１０を折り畳んだとき基台１１の背面とビデオカメラヘッド１４の背面が略面一になるように設定されている。
【００２０】
本実施例に係る資料提示装置１０の構造は以上の通りであって、同装置１０を使用して資料３０を撮像するには、基台１１を設置面に設置し、接続コードで図示略のモニターテレビ若しくはプロジェクタと基台１１を接続する。図１に示すように、第１支柱２０を回動して起立位置にセットする。また、第２支柱２１を回動して延伸位置にセットする。さらに、ブラケット１３とビデオカメラヘッド１４を、その上面が基台１１の上面１１ａと略平行になる第１撮像位置にセットする。そして、資料３０の撮像対象部分３１がビデオカメラヘッド１４の撮像レンズ１６の鏡筒の直下に来るように資料３０を基台設置面に置き、ズームボタン１７やオートフォーカスボタン１８を操作して資料３０を撮像する。
【００２１】
また、基台設置面に置いた資料３０だけでなく、基台１１の後方にある資料を撮像することもできる。例えば、図５に示すように、ビデオカメラヘッド１４を基台１１の前後方向へ回動させてブラケット１３から起立させ、撮像レンズ１６の鏡筒を基台１１の後方へ向けることができる。このようにビデオカメラヘッド１４を撮像レンズ１６が基台１１の後方を向く第２撮像位置にセットして基台１１の後方にある資料を撮像することも可能である。
【００２２】
一方、資料提示装置１０を使用しないとき、図１に示す使用状態から図３と図４に示すように、第１支柱２０、第２支柱２１及びブラケット１３を回動し、図２に示すように折り畳む。資料提示装置を折り畳んだ状態では、第１支柱２０が基台１１の前面１１ｂに重なり、第２支柱２１が第１支柱２０の外面に重なる。また、ブラケット１３とビデオカメラヘッド１４が基台１１の右側面側に沿って並び、ブラケット１３の上面及びビデオカメラヘッド１４の上面１４ａと基台１１の上面１１ｂが略面一になる。また、ビデオカメラヘッド１４の背面と基台１１の背面が略面一になる。このようにして、資料撮像装置１０が略厚手のブック形状に折り畳まれる。
【符号の説明】
【００２３】
１０…資料提示装置
１１…基台
１２…支柱
１３…ブラケット
１４…ビデオカメラヘッド
１６…撮像レンズ
２０…第１支柱
２１…第２支柱
３０…資料
【図１】
2011119954.tif 000003
【図２】
2011119954.tif 000004
【図３】
2011119954.tif 000005
【図４】
2011119954.tif 000006
【図５】
2011119954.tif 000007
【図６】
2011119954.tif 000008
【図７】
2011119954.tif 000009